(57)【要約】【課題】  所望のバックフォーカスを確保しつつ、良好な光学性能が得られるズームレンズを提供すること。【解決手段】  物体側より像側へ順に、正、負、正、正の屈折力の４つのレンズ群で構成され、ズーミングに際し隣接するレンズ群の間隔が変化するズームレンズにおいて、第３レンズ群Ｌ３を、物体側より像側へ順に、負の屈折力の第３ａレンズ群Ｌ３ａ、正の屈折力の第３ｂレンズ群Ｌ３ｂで構成する。この第３ｂレンズ群Ｌ３ｂを光軸に対して垂直方向の成分を持つように移動させることによってズームレンズが形成する像を光軸に対して垂直方向に変位させると共に、第３ａレンズ群Ｌ３ａ中の最も物体側の面と物体側から２番目の面の曲率半径を適切な値に設定する。【選択図】  図１
2010026491.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群で構成され、ズーミングに際し隣接するレンズ群の間隔が変化するズームレンズにおいて、前記第３レンズ群は、物体側より像側へ順に、負の屈折力の第３ａレンズ群、正の屈折力の第３ｂレンズ群で構成され、該第３ｂレンズ群を光軸に対して垂直方向の成分を持つように移動させることによって前記ズームレンズが形成する像を光軸に対して垂直方向に変位させると共に、前記第３ａレンズ群中で最も物体側の面の曲率半径をＲ３ａ１、前記第３ａレンズ群中で物体側から２番目の面の曲率半径をＲ３ａ２とするとき、
０．３０＜（Ｒ３ａ１−Ｒ３ａ２）／（Ｒ３ａ１＋Ｒ３ａ２）＜０．８５
なる条件を満足することを特徴とするズームレンズ。
【請求項２】
前記第３レンズ群と前記第３ａレンズ群の焦点距離をそれぞれｆ３，ｆ３ａとするとき、
−２．０＜ｆ３ａ／ｆ３＜−１．０
なる条件を満足することを特徴とする請求項１に記載のズームレンズ。
【請求項３】
前記第３ｂレンズ群に含まれる正レンズのうち、最も像側に配置された正レンズのアッベ数をν３ｂｐとするとき、
２５＜ν３ｂｐ＜５０
なる条件を満足することを特徴とする請求項１又は２に記載のズームレンズ。
【請求項４】
請求項１〜３いずれかに記載のズームレンズと、該ズームレンズが形成する像を受光する光電変換素子とを有することを特徴とするカメラ。
【発明の詳細な説明】
【技術分野】
【０００１】
本発明はズームレンズに関する。本発明のズームレンズは、例えば、ビデオカメラやデジタルカメラ等の光電変換素子を用いたカメラの撮影光学系に好適である。
【背景技術】
【０００２】
ビデオカメラやデジタルカメラ等の撮影装置で撮影する際、手ぶれ等の要因により、撮影画像が劣化する（以下、単に「画像ぶれ」と呼ぶ）ことがある。このような画像ぶれを、撮影光学系を構成するレンズ群の一部を移動させることによって防止する機能を備えた光学系が提案されている。
【０００３】
例えば、特許文献１では、正、負、正、正の４群構成のズームレンズにおいて、第３レンズ群全体を光軸に対し垂直な方向に移動させることで、手ぶれ等に起因した画像ぶれを抑制している。
【特許文献１】特開平７−１９９１２４号公報
【発明の開示】
【発明が解決しようとする課題】
【０００４】
近年の固体撮像素子の小型化及び画素ピッチの微細化による高画素化に伴い、撮影光学系にも非常に高い光学性能が要求されている。また、ビデオカメラやデジタルカメラ等では、ズームレンズと固体撮像素子との間に色分解プリズム、光学的ローパスフィルター等の部材を配置する必要がある。このため、これらのカメラには、必要なバックフォーカスを確保することも求められる。
【０００５】
例えば、ズームレンズの後方に色分解プリズムを設ける必要がある３板式のカメラを想定した場合、バックフォーカスの確保と、良好な光学性能の両立を図ることは、特許文献１に開示されたズームレンズでは難しかった。
【０００６】
本発明は、画像ぶれを補正するための補正レンズ群を備え、所望のバックフォーカスを確保しつつ、良好な光学性能を得ることが可能なズームレンズを提供することを目的とする。
【課題を解決するための手段】
【０００７】
上記目的を達成するため、本発明は、物体側より像側へ順に、正の屈折力の第１レンズ群、負の屈折力の第２レンズ群、正の屈折力の第３レンズ群、正の屈折力の第４レンズ群で構成され、ズーミングに際し隣接するレンズ群の間隔が変化するズームレンズにおいて、第３レンズ群を、物体側より像側へ順に、負の屈折力の第３ａレンズ群、正の屈折力の第３ｂレンズ群で構成している。そして、この第３ｂレンズ群を光軸に対して垂直方向の成分を持つように移動させることによってズームレンズが形成する像を光軸に対して垂直方向に変位させている。更に、第３ａレンズ群中の最も物体側の面と物体側から２番目の面の曲率半径を適切な値に設定している。
【発明の効果】
【０００８】
本発明のズームレンズによれば、所望のバックフォーカスを確保しつつ、良好な光学性能を得ることができる。
【発明を実施するための最良の形態】
【０００９】
以下、図面を用いて本発明のズームレンズの実施例について説明する。初めに本発明のズームレンズの概略について説明する。
【００１０】
本発明は、物体側より像側へ順に、正の屈折力（光学的パワー＝焦点距離の逆数）の第１レンズ群、負の屈折力の第２レンズ群、正の屈折力の第３レンズ群、正の屈折力の第４レンズ群で構成されるズームレンズを前提としている。本発明のズームレンズの隣接するレンズ群同士の間隔は、ズーミングに際し変化する。「隣接するレンズ群同士の間隔」とは、例えば「第１レンズ群と第２レンズ群の間隔」、「第２レンズ群と第３レンズ群の間隔」・・・である。
【００１１】
このような４群ズームレンズにおいて、第３レンズ群を、物体側より像側へ順に、負の屈折力の第３ａレンズ群と、正の屈折力の第３ｂレンズ群とで構成する。そして、この第３ｂレンズ群を、光軸に対して垂直方向の成分を持つように移動させることによって、ズームレンズが形成する像を光軸に対して垂直方向に変位させている。つまり、第３ｂレンズ群を画像ぶれを補正するための補正レンズ群に採用している。
【００１２】
更に、第３ａレンズ群中で最も物体側の面の曲率半径をＲ３ａ１、第３ａレンズ群中で物体側から２番目の面の曲率半径をＲ３ａ２として、
０．３０＜（Ｒ３ａ１−Ｒ３ａ２）／（Ｒ３ａ１＋Ｒ３ａ２）＜０．８５    ・・（１）
なる条件を満足するよう構成している。
【００１３】
条件式（１）は、第３ａレンズ群の物体側に配置されたレンズの形状を定める条件である。条件式（１）を満足することで、良好な光学性能を確保しつつ、所望のバックフォーカスを確保することが可能となる。
【００１４】
条件式（１）の上限値を超えると、第３ｂレンズ群へ入射する軸上光線の高さが高くなるために、画像ぶれを補正する際の光学性能劣化、特に軸上のコマ収差の劣化が大きくなる。
【００１５】
一方、条件式（１）の下限値を下回ると、第３ａレンズ群の主点位置が像側になるため、所望のバックフォーカスを確保する上で好ましくない。また、第３ａレンズ群の最も物体側に配置されたレンズのメニスカス形状が強まるので、このレンズで光線が跳ね上げられることになる。その結果、第３ｂレンズ群のレンズ面への入射光線角度が大きくなり、画像ぶれを補正する際の像面湾曲が大きくなる。
【００１６】
以上のような本発明によれば、所望のバックフォーカスを確保しつつ、良好な光学性能を得ることが可能なズームレンズが実現できる。
【００１７】
次に本発明のズームレンズにおける好ましい条件について説明する。
【００１８】
第１に、第３レンズ群と第３ａレンズ群の焦点距離をそれぞれｆ３，ｆ３ａとするとき、
−２．０＜ｆ３ａ／ｆ３＜−１．０          ・・・（２）
なる条件を満足することが好ましい。
【００１９】
条件式（２）は、第３レンズ群中の第３ａレンズ群のパワー配分に関し、所望のバックフォーカスを確保しつつ、補正レンズ群に要求される位置精度を緩和する上で好ましい条件である。条件式（２）の上限値を超えると、所望のバックフォーカスを確保するのが困難になると共に、補正レンズ群の移動量が増え、それに伴う収差変動量が大きくなる。一方、条件式（２）の下限値を下回ると、バックフォーカスが長くなり、小型化に不利になる。また、補正レンズ群の移動量が少なくなるため、小型の光電変換素子を用いた場合等に、偏芯位置に対する精度が厳しくなる。
【００２０】
第２に、第３ｂレンズ群に含まれる正レンズのうち、最も像側に配置された正レンズのアッベ数をν３ｂｐとするとき、
２５＜ν３ｂｐ＜５０          ・・・（３）
なる条件を満足することが好ましい。
【００２１】
条件式（３）は、第３ｂレンズ群中の正レンズの硝材選択に関する条件であり、画像ぶれを補正する際の光学性能劣化を抑えるために好ましい条件である。条件式（３）の上限値を超えると、最も像側に配置されたレンズの色消し効果が強まり、接合面の屈折力が弱くなるため、第３ｂレンズ群としての屈折力が強まる。そのため、補正レンズ群の移動量が少なくなり、偏芯位置に対する精度が厳しくなる。一方、下限値を下回ると、最も像側に配置されたレンズの色消し効果が弱まり、接合面の屈折力が強くなるため、第３ｂレンズ群としての屈折力が弱くなる。そのため、補正レンズ群の移動量が増え、画像ぶれを補正する際の収差変動量が大きくなる。
【００２２】
なお、条件式（１）〜（３）に関して、数値範囲を下記範囲を満足するように設定すると、更に諸収差を良好に補正する上で望ましい。
【００２３】
０．４０＜（Ｒ３ａ１−Ｒ３ａ２）／（Ｒ３ａ１＋Ｒ３ａ２）＜０．８０
・・・（１ａ）
−２．０＜ｆ３ａ／ｆ３＜−１．１                ・・・（２ａ）
３０＜ν３ｂｐ＜４５                            ・・・（３ａ）
次に図面を用いて本発明のズームレンズの実施例を具体的に説明する。
【００２４】
図１は実施例１のズームレンズのレンズ断面図である。図２は実施例１のズームレンズの収差図である。図２（ａ）は広角端、図２（ｂ）は中間ズーム位置、図２（ｃ）は望遠端での収差図をそれぞれ表す。
【００２５】
図３は実施例２のズームレンズのレンズ断面図である。図３は実施例２のズームレンズの収差図である。図４（ａ）は広角端、図４（ｂ）は中間ズーム位置、図４（ｃ）は望遠端での収差図をそれぞれ表す。
【００２６】
図５は実施例３のズームレンズのレンズ断面図である。図６は実施例３のズームレンズの収差図である。図６（ａ）は広角端、図６（ｂ）は中間ズーム位置、図６（ｃ）は望遠端での収差図をそれぞれ表す。
【００２７】
図７は実施例４のズームレンズのレンズ断面図である。図８は実施例４のズームレンズの収差図である。図８（ａ）は広角端、図８（ｂ）は中間ズーム位置、図８（ｃ）は望遠端での収差図をそれぞれ表す。
【００２８】
図９は実施例５のズームレンズのレンズ断面図である。図１０は実施例５のズームレンズの収差図である。図１０（ａ）は広角端、図１０（ｂ）は中間ズーム位置、図１０（ｃ）は望遠端での収差図をそれぞれ表す。
【００２９】
図１１は、本発明のズームレンズを有するビデオカメラの要部概略図である。
【００３０】
各レンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４群レンズである。第３レンズ群Ｌ３は、負の屈折力の第３ａレンズ群Ｌ３ａ、正の屈折力の第３ｂレンズ群Ｌ３ｂで構成されている。第３ｂレンズ群Ｌ３ｂは、光軸に対して垂直方向の成分を持つように移動可能である。第３ｂレンズ群Ｌ３ｂをこのように移動させることによって、ズームレンズが形成する像を光軸に対して垂直方向に変位させることが可能であり、手ぶれ等に起因した画像ぶれを補正できる。
【００３１】
各レンズ断面図における「Ｌ１（正）」等の（正）又は（負）は、そのレンズ群の屈折力の符号を表す。レンズ断面図において、左側が物体側（前方）、右側が像側（後方）であり、物体側から像側へ順に、第１レンズ群Ｌ１、第２レンズ群Ｌ２、第３レンズ群Ｌ３、第４レンズ群Ｌ４が配置されている。
【００３２】
ＳＰは開口絞りであり、第３レンズ群Ｌ３の前方に位置している。ＧＢは色分解プリズム、撮像素子のフェースプレート、光学的ローパスフィルター等を想定して設計上設けられたガラスブロックである。ＩＰは像面である。本実施例のズームレンズをビデオカメラやデジタルカメラの撮影光学系として使用する場合、像面ＩＰは、ＣＣＤセンサやＣＭＯＳセンサ等の固体撮像素子（光電変換素子）の撮像面に相当する。銀塩フィルム用カメラの撮影光学系として使用する場合、像面ＩＰはフィルム面に相当する。
【００３３】
図２，４，６，８，１０に示した収差図では、各実施例のズームレンズの球面収差、非点収差、歪曲、倍率色収差を示している。球面収差を表す図において、縦軸はＦナンバー（ｆｎｏ）である。実線はｄ線、二点鎖線はｇ線を表す。非点収差、歪曲、倍率色収差を表す図における縦軸は、半画角（ω）である。非点収差を表す図における破線ΔＭはｄ線のメリジオナル像面、実線ΔＳはサジタル像面を表す。歪曲はｄ線によって表している。倍率色収差はｄ線を基準にｇ線によって表している。
【００３４】
レンズ断面図における矢印は、広角端から望遠端へズーミングする際の各レンズ群の移動軌跡（ズーム位置に対して各レンズ群の位置をプロットしたもの）を示している。
【００３５】
実施例１〜５のズームレンズでは、広角端から望遠端へのズーミングに際して、第２レンズ群Ｌ２を像側へ移動させて変倍を行うと共に、変倍に伴う像面変動を、第４レンズ群Ｌ４を移動させて補正している。
【００３６】
また、第４レンズ群Ｌ４を光軸上移動させてフォーカシングを行うリアフォーカス式を採用している。
【００３７】
望遠端において無限遠物体から近距離物体へフォーカスを行う場合には、各レンズ断面図に示す矢印４ｃのように、第４レンズ群Ｌ４を前方に繰り出している。第４レンズ群Ｌ４に関する実線の曲線４ａと点線の曲線４ｂは、各々無限遠物体と近距離物体にフォーカスしているときの変倍に伴う像面変動を補正するための移動軌跡である。
【００３８】
このように第４レンズ群Ｌ４を物体側へ凸状の移動軌跡とすることで第３レンズ群Ｌ３と第４レンズ群Ｌ４との間の空間の有効利用を図り、レンズ全長の短縮化を効果的に達成している。
【００３９】
実施例１〜５のズームレンズでは、第１レンズ群Ｌ１及び第３レンズ群Ｌ３は、ズーミング及びフォーカシングのためには移動させていない。但し、収差補正上等の理由により必要に応じて移動させることを、本発明は妨げるものではない。
【００４０】
次に実施例１〜５のズームレンズの各レンズ群の構成について説明する。
【００４１】
第１レンズ群Ｌ１は、物体側から像側へ順に、物体側が凸面のメニスカス形状の負レンズと両凸形状の正レンズとを接合した接合レンズ、物体側が凸面のメニスカス形状の正レンズにより構成されている。
【００４２】
第２レンズ群Ｌ２は、物体側から像側へ順に、物体側が凸面のメニスカス形状の負レンズ、両凹形状の負レンズ、両凸形状の正レンズと両凹形状の負レンズとを接合した接合レンズにより構成されている。
【００４３】
第３ａレンズ群Ｌ３ａは、物体側から像側へ順に、物体側が凸面のメニスカス形状の負レンズと物体側が凸面のメニスカス形状の正レンズとを接合した接合レンズにより構成されている。
【００４４】
第３ｂレンズ群Ｌ３ｂは、物体側から像側へ順に、両凸形状の正レンズと両凹形状の負レンズとを接合した接合レンズ、両凸形状の正レンズにより構成されている。
【００４５】
第４レンズ群Ｌ４は、物体側から像側へ順に、両凸形状の正レンズ、物体側が凸面のメニスカス形状の負レンズと両凸形状の正レンズとを接合した接合レンズにより構成されている。
【００４６】
次に、実施例１〜５に各々対応する数値実施例１〜５を示す。
【００４７】
各数値実施例において、ｒは各面の曲率半径（単位：ｍｍ）、ｄは隣接する面の間隔（単位：ｍｍ）である。ｎｄは部材のｄ線に対する屈折率である。νｄは以下の式で表されるｄ線を基準とした部材のアッベ数である。
【００４８】
νｄ＝（Ｎｄ−１）／（ＮＦ−ＮＣ）
Ｎｄ：ｄ線（波長５８７．６ｎｍ）に対する屈折率
ＮＦ：Ｆ線（波長４８６．１ｎｍ）に対する屈折率
ＮＣ：Ｃ線（波長６５６．３ｎｍ）に対する屈折率
非球面形状は、光軸からの高さｈの位置での光軸方向の変位を、面頂点を基準にしてｘとするとき以下の式で定義される。
【００４９】
ｘ＝（ｈ２／Ｒ）／［１＋［１−（１＋Ｋ）（ｈ／Ｒ）２］１／２］
＋Ａ’ｈ３＋Ｂｈ４＋Ｂ’ｈ５＋Ｃｈ６＋Ｃ’ｈ７＋Ｄｈ８＋Ｄ’ｈ９
＋Ｅｈ１０＋Ｅ’ｈ１１＋Ｆｈ１２
ここで、ｋは円錐定数、Ａ’，Ｂ，Ｂ’，Ｃ，Ｃ’，Ｄ，Ｄ’，Ｅ，Ｅ’，Ｆは各項の非球面係数である。Ｒは近軸曲率半径である。また、「ｅ−Ｘ」は「×１０−Ｘ」を意味している。尚、非球面には、数値実施例中の面番号の右側に＊印を付している。
【００５０】
また、前述の各条件式と数値実施例における諸数値との関係を表１に示す。
【００５１】
（数値実施例１）
単位  ｍｍ
面データ
面番号       r        d      nd         vd       有効径
1         15.091    0.41   1.84666    23.9        8.22
2          7.810    1.62   1.48749    70.2        7.82
3        -65.772    0.05                          7.69
4          7.269    0.99   1.77250    49.6        7.13
5         22.163  (可変)                          6.89
6         10.346    0.19   1.88300    40.8        2.70
7          1.542    0.69                          2.16
8         -4.561    0.19   1.83481    42.7        2.12
9         13.388    0.06                          2.13
10          3.568    0.71   1.84666    23.9        2.18
11         -5.407    0.18   1.83481    42.7        2.10
12         21.993  (可変)                          2.05
13(絞り)    ∞       0.81                          2.29
14         12.960    0.18   1.88300    40.8        2.47
15          3.012    0.55   1.80518    25.4        2.47
16          8.605    0.42                          2.49
17*         3.310    0.86   1.58313    59.4        2.71
18        -16.350    0.18   1.69895    30.1        2.65
19          4.509    0.23                          2.62
20         58.798    0.44   1.58144    40.8        2.63
21         -6.517  (可変)                          2.68
22          8.159    0.50   1.62299    58.2        2.87
23        -13.459    0.05                          2.87
24          5.513    0.21   1.84666    23.9        2.82
25          2.801    0.80   1.60311    60.6        2.71
26        -31.644  (可変)                          2.62
27          ∞       4.83   1.58913    61.3        6.50
28          ∞       0.16                          6.50
像面        ∞
非球面データ
第17面
K =-1.15584e-001  A 4=-2.83550e-003  A 6=-3.76250e-005  A 8=-4.19613e-006
各種データ
ズーム比     15.64 
広角     中間     望遠
焦点距離       1.00     5.98    15.64
Fナンバー      1.85     2.24     2.88
画角          26.21     5.47     2.09
像高           0.49     0.57     0.57
レンズ全長    25.11    25.11    25.11
BF             4.26     5.27     4.45
d 5            0.23     5.89     7.48
d12            7.77     2.11     0.51
d21            2.51     1.50     2.32
d26            0.68     1.69     0.88
入射瞳位置     4.97    33.40    70.49
射出瞳位置    23.75  -2458.35    29.36
前側主点位置   6.01    39.37    94.51
後側主点位置  -0.84    -5.82   -15.49
ズームレンズ群データ
群  始面    焦点距離  レンズ構成長  前側主点位置  後側主点位置
1    1      11.12         3.07         0.90         -1.03
2    6      -1.90         2.04         0.15         -1.29
3   13      14.30         3.67         1.84         -1.03
4   22       4.88         1.56         0.23         -0.75
5   27       ∞           5.21         1.71         -1.71
単レンズデータ
レンズ  始面  焦点距離
1       1    -19.62
2       2     14.42
3       4     13.61
4       6     -2.07
5       8     -4.06
6      10      2.64
7      11     -5.18
8      14     -4.48
9      15      5.51
10      17      4.80
11      18     -5.04
12      20     10.12
13      22      8.23
14      24     -6.98
15      25      4.30
（数値実施例２）
単位 mm
面データ
面番号       r        d      nd         vd       有効径
1         15.245    0.40   1.84666    23.9        8.07
2          7.893    1.61   1.48749    70.2        7.69
3        -56.055    0.05                          7.55
4          7.275    0.98   1.77250    49.6        7.01
5         21.983  (可変)                          6.75
6         10.818    0.19   1.88300    40.8        2.67
7          1.522    0.67                          2.13
8         -4.873    0.19   1.83481    42.7        2.10
9         14.436    0.06                          2.12
10          3.288    0.71   1.84666    23.9        2.16
11         -6.403    0.18   1.83481    42.7        2.07
12         12.628  (可変)                          2.01
13(絞り)    ∞       0.80                          2.30
14         11.172    0.18   1.88300    40.8        2.47
15          3.631    0.55   1.80518    25.4        2.47
16          8.249    0.42                          2.49
17*         3.398    0.85   1.58313    59.4        2.67
18        -28.957    0.18   1.69895    30.1        2.62
19          4.620    0.23                          2.58
20        294.191    0.43   1.58144    40.8        2.60
21         -6.785  (可変)                          2.65
22          9.135    0.50   1.62299    58.2        2.85
23        -11.292    0.05                          2.86
24          5.416    0.21   1.84666    23.9        2.81
25          2.877    0.79   1.60311    60.6        2.70
26        -37.827  (可変)                          2.60
27          ∞       4.83   1.58913    61.3        6.44
28          ∞       0.15                          6.44
像面        ∞
非球面データ
第17面
K =-2.07326e-001  A 4=-2.84727e-003  A 6= 8.29045e-005  A 8=-2.10372e-005
各種データ
ズーム比     15.67
広角     中間     望遠
焦点距離       1.00     5.99    15.67
Fナンバー      1.85     2.24     2.88
画角          25.99     5.40     2.07
像高           0.49     0.57     0.57
レンズ全長    24.93    24.93    24.93
BF             4.21     5.25     4.42
d 5            0.23     5.83     7.41
d12            7.73     2.13     0.55
d21            2.53     1.49     2.31
d26            0.67     1.71     0.88
入射瞳位置     4.93    33.12    69.89
射出瞳位置    23.03  -704.92    29.04
前側主点位置   5.98    39.06    94.07
後側主点位置  -0.85    -5.84   -15.52
ズームレンズ群データ
群  始面    焦点距離  レンズ構成長  前側主点位置  後側主点位置
1    1      11.02         3.04         0.90         -1.02
2    6      -1.87         2.01         0.16         -1.23
3   13      13.97         3.64         1.58         -1.26
4   22       4.81         1.54         0.23         -0.74
5   27       ∞           5.15         1.69         -1.69
単レンズデータ
レンズ  始面  焦点距離
1       1    -19.83
2       2     14.31
3       4     13.68
4       6     -2.03
5       8     -4.34
6      10      2.65
7      11     -5.07
8      14     -6.16
9      15      7.65
10      17      5.27
11      18     -5.69
12      20     11.41
13      22      8.18
14      24     -7.53
15      25      4.47
（数値実施例３）
単位 mm
面データ
面番号       r        d      nd         vd       有効径
1         15.398    0.40   1.84666    23.9        7.43
2          7.866    1.61   1.48749    70.2        7.16
3        -53.670    0.05                          7.04
4          7.234    0.98   1.77250    49.6        6.83
5         22.003  (可変)                          6.62
6         11.939    0.19   1.88300    40.8        2.65
7          1.538    0.66                          2.13
8         -5.192    0.19   1.83481    42.7        2.09
9          9.312    0.06                          2.11
10          3.318    0.71   1.84666    23.9        2.16
11         -6.181    0.18   1.83481    42.7        2.08
12         20.907  (可変)                          2.03
13(絞り)    ∞       0.80                          2.28
14          7.320    0.18   1.88300    40.8        2.47
15          3.062    0.55   1.80518    25.4        2.45
16          5.814    0.42                          2.44
17*         3.345    0.85   1.58313    59.4        2.61
18        -24.985    0.18   1.69895    30.1        2.56
19          4.659    0.23                          2.53
20        346.791    0.43   1.60342    38.0        2.54
21         -7.662  (可変)                          2.59
22          9.430    0.50   1.62299    58.2        2.86
23        -11.971    0.05                          2.87
24          5.088    0.21   1.84666    23.9        2.83
25          2.727    0.79   1.60311    60.6        2.72
26        -25.375  (可変)                          2.64
27          ∞       4.83   1.58913    61.3        6.44
28          ∞       0.15                          6.44
像面        ∞
非球面データ
第17面
K =-1.45903e-001  A 4=-2.74549e-003  A 6= 8.17877e-005  A 8=-3.71173e-005
各種データ
ズーム比     15.69
広角     中間     望遠
焦点距離       1.00     5.99    15.69
Fナンバー      1.85     2.24     2.88
画角          25.99     5.40     2.07
像高           0.49     0.57     0.57
レンズ全長    24.88    24.88    24.88
BF             4.21     5.21     4.34
d 5            0.23     5.83     7.41
d12            7.74     2.14     0.56
d21            2.49     1.49     2.36
d26            0.67     1.67     0.80
入射瞳位置     4.91    33.13    70.42
射出瞳位置    20.53   431.82    23.20
前側主点位置   5.96    39.20    96.79
後側主点位置  -0.85    -5.84   -15.53
ズームレンズ群データ
群  始面    焦点距離  レンズ構成長  前側主点位置  後側主点位置
1    1      10.97         3.04         0.91         -1.01
2    6      -1.90         1.99         0.13         -1.27
3   13      15.00         3.64         1.23         -1.61
4   22       4.65         1.54         0.26         -0.71
5   27       ∞           5.15         1.69         -1.69
単レンズデータ
レンズ  始面  焦点距離
1       1    -19.47
2       2     14.19
3       4     13.56
4       6     -2.02
5       8     -3.97
6      10      2.64
7      11     -5.70
8      14     -6.08
9      15      7.38
10      17      5.12
11      18     -5.60
12      20     12.43
13      22      8.54
14      24     -7.23
15      25      4.13
（数値実施例４）
単位 mm
面データ
面番号       r        d      nd         vd       有効径
1         16.167    0.41   1.84666    23.9        7.59
2          8.053    1.62   1.48749    70.2        7.31
3        -44.568    0.05                          7.21
4          7.206    0.99   1.77250    49.6        6.87
5         20.887  (可変)                          6.65
6         11.583    0.19   1.88300    40.8        2.72
7          1.549    0.66                          2.18
8         -5.419    0.19   1.83481    42.7        2.15
9          9.338    0.06                          2.16
10          3.313    0.71   1.84666    23.9        2.21
11         -5.819    0.18   1.83481    42.7        2.13
12         18.719  (可変)                          2.08
13(絞り)    ∞       0.81                          2.26
14         24.209    0.18   1.88300    40.8        2.43
15          2.891    0.55   1.80518    25.4        2.45
16         11.325    0.42                          2.48
17*         3.155    0.86   1.58313    59.4        2.72
18        -10.683    0.18   1.69895    30.1        2.68
19          4.306    0.24                          2.64
20         76.778    0.44   1.60342    38.0        2.65
21         -5.964  (可変)                          2.71
22          7.512    0.50   1.62299    58.2        2.88
23        -14.104    0.05                          2.87
24          5.611    0.21   1.84666    23.9        2.82
25          2.778    0.80   1.60311    60.6        2.70
26        -38.785  (可変)                          2.61
27          ∞       4.83   1.58913    61.3        6.50
28          ∞       0.16                          6.50
像面        ∞
非球面データ
第17面
K =-1.89482e-001  A 4=-2.86649e-003  A 6=-6.78768e-005  A 8= 1.11313e-005
各種データ
ズーム比     15.64 
広角     中間     望遠
焦点距離       1.00     5.96    15.64
Fナンバー      1.85     2.24     2.88
画角          26.21     5.48     2.09
像高           0.49     0.57     0.57
レンズ全長    25.03    25.03    25.03
BF             4.26     5.21     4.35
d 5            0.23     5.88     7.48
d12            7.77     2.11     0.52
d21            2.45     1.50     2.36
d26            0.69     1.63     0.78
入射瞳位置     4.96    33.34    70.21
射出瞳位置    25.00   993.66    27.51
前側主点位置   6.00    39.33    94.80
後側主点位置  -0.84    -5.80   -15.48
ズームレンズ群データ
群  始面    焦点距離  レンズ構成長  前側主点位置  後側主点位置
1    1      11.08         3.07         0.92         -1.01
2    6      -1.93         2.01         0.14         -1.27
3   13      14.53         3.69         2.18         -0.67
4   22       4.93         1.56         0.21         -0.77
5   27       ∞           5.21         1.71         -1.71
単レンズデータ
レンズ  始面  焦点距離
1       1    -19.40
2       2     14.13
3       4     13.81
4       6     -2.04
5       8     -4.08
6      10      2.59
7      11     -5.30
8      14     -3.73
9      15      4.69
10      17      4.28
11      18     -4.37
12      20      9.19
13      22      7.94
14      24     -6.73
15      25      4.33
（数値実施例５）
単位 mm
面データ
面番号       r        d      nd         vd       有効径
1         15.022    0.40   1.84666    23.9        7.42
2          7.709    1.61   1.48749    70.2        7.14
3        -63.120    0.05                          7.03
4          7.217    0.98   1.77250    49.6        6.81
5         22.446  (可変)                          6.60
6         11.050    0.19   1.88300    40.8        2.67
7          1.523    0.66                          2.13
8         -5.364    0.19   1.83481    42.7        2.10
9          8.689    0.06                          2.11
10          3.264    0.71   1.84666    23.9        2.16
11         -6.203    0.18   1.83481    42.7        2.09
12         20.291  (可変)                          2.04
13(絞り)    ∞       0.80                          2.26
14         11.754    0.18   1.88300    40.8        2.44
15          2.821    0.55   1.80518    25.4        2.44
16          8.273    0.42                          2.46
17*         3.178    0.85   1.58313    59.4        2.67
18         -7.980    0.18   1.69895    30.1        2.61
19          4.165    0.23                          2.57
20         42.216    0.43   1.68893    31.1        2.59
21         -7.663  (可変)                          2.64
22          7.493    0.50   1.62299    58.2        2.87
23        -13.473    0.05                          2.87
24          5.355    0.21   1.84666    23.9        2.82
25          2.682    0.79   1.60311    60.6        2.69
26        -36.541  (可変)                          2.61
27          ∞       4.83   1.58913    61.3        6.44
28          ∞       0.15                          6.44
像面        ∞
非球面データ
第17面
K =-1.12900e-001  A 4=-2.37610e-003  A 6=-6.79198e-005  A 8= 1.68014e-006
各種データ
ズーム比     15.69
広角     中間     望遠
焦点距離       1.00     6.00    15.69
Fナンバー      1.85     2.24     2.88
画角          25.99     5.39     2.07
像高           0.49     0.57     0.57
レンズ全長    24.82    24.82    24.82 
BF             4.21     5.19     4.31
d 5            0.23     5.83     7.41
d12            7.70     2.10     0.52
d21            2.46     1.48     2.36
d26            0.67     1.65     0.77
入射瞳位置     4.92    33.14    70.09
射出瞳位置    23.51  -1777.09    26.05
前側主点位置   5.97    39.12    95.28
後側主点位置  -0.85    -5.85   -15.53
ズームレンズ群データ
群  始面    焦点距離  レンズ構成長  前側主点位置  後側主点位置
1    1      10.98         3.04         0.90         -1.01
2    6      -1.91         2.00         0.13         -1.27
3   13      14.88         3.65         1.70         -1.13
5   22       4.76         1.54         0.21         -0.76
6   27       ∞           5.16         1.69         -1.69
単レンズデータ
レンズ  始面  焦点距離
1       1    -19.19
2       2     14.20
3       4     13.39
4       6     -2.02
5       8     -3.95
6      10      2.62
7      11     -5.67
8      14     -4.24
9      15      5.09
10      17      4.01
11      18     -3.89
12      20      9.45
13      22      7.80
14      24     -6.58
15      25      4.17
【００５２】
【表１】
2010026491.tif 000003
【００５３】
次に数値実施例１〜５のズームレンズを撮影光学系として用いた撮影装置（ビデオカメラ）の実施形態を図１１を用いて説明する。
【００５４】
図１１において、１０は撮影装置本体、１１は数値実施例１〜６のズームレンズによって構成された撮影光学系である。１２は撮影光学系１１によって形成される被写体像を受光するＣＣＤ等の撮像素子、１３は撮像素子１２が受光した被写体像を記録するメモリ、１４は被写体像を観察するためのファインダーである。ファインダー１４としては、光学ファインダーや液晶パネル等の表示素子に表示された被写体像を観察するタイプのファインダーが考えられる。
【００５５】
このように数値実施例１〜５のズームレンズをビデオカメラ等の撮影装置に適用することにより、小型で高い光学性能を有する撮影装置が実現できる。
【図面の簡単な説明】
【００５６】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】ビデオカメラの要部概略図である。
【符号の説明】
【００５７】
Ｌ１  第１レンズ群
Ｌ２  第２レンズ群
Ｌ３  第３レンズ群
Ｌ４  第４レンズ群
Ｌ３ａ  第３ａレンズ群
Ｌ３ｂ  第３ｂレンズ群
ＳＰ  開口絞り
ＧＢ  ガラスブロック
ＩＰ  像面
【図１】
2010026491.tif 000004
【図２】
2010026491.tif 000005
【図３】
2010026491.tif 000006
【図４】
2010026491.tif 000007
【図５】
2010026491.tif 000008
【図６】
2010026491.tif 000009
【図７】
2010026491.tif 000010
【図８】
2010026491.tif 000011
【図９】
2010026491.tif 000012
【図１０】
2010026491.tif 000013
【図１１】
2010026491.tif 000014